(57)【特許請求の範囲】
【請求項１】
底壁の各辺に起倒自在に連結された対向する一対の側壁と対向する他の一対の側壁を有し、各側壁を起立させて上面が開放した箱形の容器を組み立てるコンテナであって、
底壁は中空二重壁構造に形成されており、その底壁の底面の外周端に環状の段部を形成し、
前記環状の段部の内周側には、補強のための凹部を適当間隔ごとに形成するとともにその凹部の一部に中空二重壁の内面を一体に溶着してなる溶着部を形成したこと
を特徴とする折り畳みコンテナ。
【請求項２】
底壁の底面の周囲部に形成された環状の段部は、組み立てた他のコンテナの各側壁の上端部が嵌合可能な段部であることを特徴とする請求項１記載の折り畳みコンテナ。
【請求項３】
底壁の底面の外周端に形成した環状の段部の外周側には、その段部を囲むように突条を形成したことを特徴とする請求項１または２記載の折り畳みコンテナ。
【発明の詳細な説明】
【０００１】
【発明の属する技術分野】
本発明は、底壁の各辺に起倒自在に連結された対向する一対の側壁と対向する他の一対の側壁を有し、各側壁を起立させて上面が開放した箱形の容器を構成する折り畳みコンテナに関するものである。
【０００２】
【従来の技術】
従来、物品の収納や運搬等のために使用されるコンテナであって、底壁に対して側壁が折り畳み自在であり、使用時に側壁を起立させて組み立てる構造のコンテナは、実開平６−４２６５７号公報または特開平８−３１８９３９号公報に記載されているものが知られている。
【０００３】
【発明が解決しようとする課題】
ところで、従来のコンテナであって実開平６−４２６５７号公報または特開平８−３１８９３９号公報に記載されているものは、何れも底壁が単壁構造であるから、コンテナに物品を収納して取手部のある側壁に手を掛けて持ち上げると、重量荷重が加わる底壁が下方に向けて凹面状に変形しやすいものである。そして、底壁が上記のような変形を繰り返すと、特に組み立て式のコンテナにあっては、底壁に側壁を連結している軸結合構造やヒンジ構造が破損するという問題がある。
【０００４】
一方、従来のコンテナであって実開平６−４２６５７号公報に記載されているものは、底壁が単壁構造であってその底面が平坦面であるから、このコンテナを積み重ねた場合には、上になるコンテナの底面が下になるコンテナの各側壁の上端面に支持されるだけで、上のコンテナに対する滑り止めが無く、積み重ね状態がはなはだ不安定である。
【０００５】
また、特開平８−３１８９３９号公報に記載されているコンテナは、積み重ね可能であるが、底壁が単壁構造であって積み重ねのための支持部を突出形成した複雑な形状をなしているので、使用中に破損することが多く、しかも洗浄などにも支障をきたすものである。
【０００６】
そこで、本発明は、底壁を中空二重壁構造として、その底壁の底面の外周端に、環状の段部を形成してその段部の内周側には、補強のための凹部を適当間隔ごとに形成するとともにその凹部の一部に中空二重壁の内面を一体に溶着してなる溶着部を形成したことにより、コンテナに物品を収納して底壁に重量荷重が加わっても底壁が形状変化をきたすことが無く、長期にわたる耐用性を備えるとともに、環状の段部を組み立てた他のコンテナの各側壁の上端部が嵌合可能な段部とすることにより、コンテナを積み重ねた場合に下のコンテナの各側壁の上端部が上のコンテナの底壁の環状の段部に整合状態を保って嵌合して、安定した積み重ね状態を保持することができるうえ、底壁の底面の形状を単調にして使用中の破損のおそれが無く、また洗浄なども容易にできる積み重ね可能な折り畳みコンテナを提供することを目的とするものである。
【０００７】
【課題を解決するための手段】
上記目的を達成するための本発明の請求項１に係る折り畳みコンテナは、底壁の各辺に起倒自在に連結された対向する一対の側壁と対向する他の一対の側壁を有し、各側壁を起立させて上面が開放した箱形の容器を組み立てるコンテナであって、底壁は中空二重壁構造に形成されており、その底壁の底面の外周端に環状の段部を形成し、前記環状の段部の内周側には、補強のための凹部を適当間隔ごとに形成するとともにその凹部の一部に中空二重壁の内面を一体に溶着してなる溶着部を形成したことを特徴とするものである。
【０００８】
請求項２に係る折り畳みコンテナは、請求項１記載の構成において、底壁の底面の周囲部に形成された環状の段部は、組み立てた他のコンテナの各側壁の上端部が嵌合可能な段部であることを特徴とするものである。
【０００９】
請求項３に係る折り畳みコンテナは、請求項１または２記載の構成において、底壁の底面の外周端に形成した環状の段部の外周側には、その段部を囲むように突条を形成したことを特徴とするものである。
【００１０】
【発明の実施の形態】
図１は本発明の一実施の形態に係る折り畳みコンテナの全体斜視図、図２は一対の側壁を折り畳んだ態様を示す全体斜視図、図３は一対の側壁および他の一対の側壁をともに折り畳んだ態様を示す斜視図、図４は他の一対の側壁が垂直姿勢に至る起立過程を示す断面図、図５は他の一対の側壁が垂直姿勢に近い傾斜姿勢で底壁に係止された態様を示す断面図、図６は一対の側壁と他の一対の側壁の関係を示す一部の斜視図、図７は同上組み立てた態様を示す斜視図、図８は底壁を底面側から見た一部の平面図、図９は図６のＡ−Ａ線矢視方向の詳細断面図、図１０は図８のＢ−Ｂ線矢視方向の詳細断面図である。
【００１１】
図示の折り畳みコンテナは、底壁１と、その四辺にそれぞれ軸止め構造により起倒自在に連結された４つの側壁、すなわち対向する一対の側壁２ａ，２ｂ、対向する他の一対の側壁２ｃ，２ｄとで構成されている。
【００１２】
折り畳みコンテナを構成する底壁１、一対の側壁２ａ，２ｂおよび他の一対の側壁２ｃ，２ｄは、熱可塑性合成樹脂（例えば、高密度ポリエチレン、ポリプロピレン、エンジニアリングプラスチック）をブロー成形してなる中空二重壁構造を成している。
【００１３】
底壁１に連結されている一対の側壁２ａ，２ｂは、底壁１の上面に対向して折り畳めるように底壁１側の軸止め部１ａに軸止めされており、他の一対の側壁２ｃ，２ｄは、底壁１の上面に対向して折り畳んだ上記一対の側壁２ａ，２ｂの上面に対向して折り畳めるように底壁１の軸止め部１ｂに軸止めされている。他の一対の側壁２ｃ，２ｄは、それぞれ略垂直姿勢に保持するためのストッパー部３を備えており、このストッパー部３は他の一対の側壁２ｃ，２ｄを略垂直姿勢に起立させると底壁１の係止凹部１ｃに係止するように成っている。
【００１４】
他の一対の側壁２ｃ，２ｄの側端部内面には、起立させた一対の側壁２ａ，２ｂの内方への倒れを阻止する突起４と、一対の側壁２ａ，２ｂの外側への倒れを阻止するための係止突条（図示せず）が係止する係止凹溝５が形成されている。すなわち、突起４は一対の側壁２ａ，２ｂが起立する過程で、また折り畳む過程でその側端部がそれぞれ乗り越え可能な突出高さのものであり、かつそれぞれの乗り越えが円滑なように傾斜面を有している。一対の側壁２ａ，２ｂの上端部にはラッチ６が取り付けられており、他の一対の側壁２ｃ，２ｄの上記突起４と係止凹溝５との間に位置してラッチ受け７が形成されている。そして、これらラッチ６とラッチ受け７とにより、垂直姿勢に起立させた一対の側壁２ａ，２ｂと垂直姿勢に起立した他の一対の側壁２ｃ，２ｄとを互いを連結するように成っている。
【００１５】
本発明に係る折り畳みコンテナにおいて、中空二重壁構造の底壁１は、その底面１ｄの外周端に、組み立てた他のコンテナ（図示しないが図１に示すものと同じコンテナである）の各側壁２ａ〜２ｄの上端部が嵌合可能なように環状の段部１ｅが形成されており、底壁１の外周端は段部１ｅによっていわゆる縁取り状に補強されているとともに、その外周側には段部１ｅを囲むように突条１ｋが形成されている。図示の実施の形態においては、各側壁２ａ〜２ｄの上端部８が厚みを減じた形状に形成されているので、底壁１の上記段部１ｅと突条１ｋもその形状に対応した形状に形成されている。底壁１は、その四辺にそれぞれ一対の側壁２ａ，２ｂおよび他の一対の側壁２ｃ，２ｄを軸止めする軸止め部１ａ，１ｂを設けるための起立壁１ｆが形成されており、段部１ｅは底面１ｄの外周端、すなわち起立壁１ｆの下に対応する部位に形成されている。
【００１６】
図示の実施の形態においては、底壁１の底面１ｄの周囲部に形成した段部１ｅの内周側に、補強のための凹部１ｇが適当間隔ごとに形成されており、その一部において中空二重壁の内面を一体に溶着してなる溶着部１ｊが形成されている。さらに、図示の実施の形態においては、底壁１の底面１ｄの内方部分に浅い凹面部１ｈを形成して、その外方の周囲部を膨出面１ｉとして、いっそうの補強を図っている。なお、図示していないが、中空二重壁構造を成す底壁１は、その対向する壁間にわたって補強リブを形成して強度および剛性を向上させた構成とすることが好ましく、その補強リブは中空部内に隠れていて外部に凹部が現れない、いわゆるインーナーリブであることがなお好ましい。
【００１７】
また、他の一対の側壁２ｃ，２ｄには、底壁１の底面１ｄの形状に合わせた凹面部２ｅ，２ｆをそれぞれ形成してあるので、折り畳まれたコンテナを積み重ねた場合にも、底壁１の底面１ｄが凹面部２ｅ，２ｆに係止してズレたりすることがなく、安定的に保持することができる。
【００１８】
本発明に係る折り畳みコンテナは、図３に示すように平坦状に折り畳まれるが、コンテナを組み立てるには、先ず他の一対の側壁２ｃ，２ｄを起立させたうえ、一対の側壁２ａ，２ｂを起立させる。そして、一対の側壁２ａ，２ｂおよび他の一対の側壁２ｃ，２ｄが垂直姿勢になった状態では、一対の側壁２ａ，２ｂの側端部が他の一対の側壁２ｃ，２ｄの突起４を乗り越え、かつ係止凹溝５に係止突条が係止するので、垂直姿勢に起立させた一対の側壁２ａ，２ｂと、垂直姿勢に起立した他の一対の側壁２ｃ，２ｄはその姿勢に保持される。そこでこの状態においてラッチ６をラッチ受け７に掛けると、一対の側壁２ａ，２ｂと他の一対の側壁２ｃ，２ｄは強固に連結され、上面が開放した箱形の容器を構成するコンテナが形成される（図１）。
【００１９】
コンテナを折り畳むには、ラッチ６をラッチ受７から外し、まず一対の側壁２ａ，２ｂを内方に押して、突起４を乗り越えさせて一対の側壁２ａ，２ｂを底壁１の上面に対向する状態に倒し、次いで他の一対の側壁２ｃ，２ｄを倒して、先に折り畳まれている一対の側壁２ａ，２ｂの上に平坦状に折り畳まれた状態とする。
【００２０】
【発明の効果】
本発明によれば、底壁を中空二重壁構造として、その底壁の底面の外周端に、環状の段部を形成してその段部の内周側には、補強のための凹部を適当間隔ごとに形成するとともにその凹部の一部に中空二重壁の内面を一体に溶着してなる溶着部を形成したことにより、コンテナに物品を収納して底壁に重量荷重が加わっても底壁が形状変化をきたすことが無く、長期にわたる耐用性を備えるとともに、環状の段部を組み立てた他のコンテナの各側壁の上端部が嵌合可能な段部とすることにより、コンテナを積み重ねた場合に下のコンテナの各側壁の上端部が上のコンテナの環状の段部に整合状態を保って嵌合して、安定した積み重ね状態を保持することができるうえ、底壁の底面の形状を単調にして使用中の破損のおそれが無く、また洗浄なども容易にできる積み重ね可能な折り畳みコンテナを得ることができ、特に、底壁の強度および剛性をいっそう強化して、重量物のコンテナであっても耐用性をさらに向上させることができる。
【図面の簡単な説明】
【図１】  本発明の一実施の形態に係る折り畳みコンテナの全体斜視図である。
【図２】  一対の側壁を折り畳んだ態様を示す全体斜視図である。
【図３】  一対の側壁および他の一対の側壁をともに折り畳んだ態様を示す斜視図である。
【図４】  他の一対の側壁が垂直姿勢に至る起立過程を示す断面図である。
【図５】  他の一対の側壁が垂直姿勢に近い傾斜姿勢で底壁に係止された態様を示す断面図である。
【図６】  一対の側壁と他の一対の側壁の関係を示す一部の斜視図である。
【図７】  同上組み立てた態様を示す斜視図である。
【図８】  底壁を底面側から見た一部の平面図である。
【図９】  図８のＡ−Ａ線矢視方向の詳細断面図である。
【図１０】  図８のＢ−Ｂ線矢視方向の詳細断面図である。
【符号の説明】
１  底壁
１ａ，１ｂ  軸受け部
１ｃ  係止部
１ｄ  底面
１ｅ  段部
１ｆ  起立壁
１ｇ  凹部
１ｈ  浅い凹面部
１ｉ  膨出部
１ｊ  溶着部
１ｋ  突条
２ａ，２ｂ  一対の側壁
２ｃ，２ｄ  他の一対の側壁
２ｅ，２ｆ  凹面部
３  ストッパー部
４  突起
５  係止凹溝
６  ラッチ
７  ラッチ受け
８  上端部
【図１】
0004689069.tif 000002
【図２】
0004689069.tif 000003
【図３】
0004689069.tif 000004
【図４】
0004689069.tif 000005
【図５】
0004689069.tif 000006
【図６】
0004689069.tif 000007
【図７】
0004689069.tif 000008
【図８】
0004689069.tif 000009
【図９】
0004689069.tif 000010
【図１０】
0004689069.tif 000011